(57)【要約】【課題】  係止具を備えたガーターや上衣捲れ防止具等の物品の係脱を容易とし、指や爪を傷めることのない優れた係止具構造を提供する。【解決手段】  基体と、該基体に対して起倒可能な状態で取付けられる操作体とを備え、基体と操作体は取付生地を挟みこんで相互に係脱可能となる雌雄の係合手段を備え、前記基体の一端には帯を取付けるための帯取付部を備えた係止具構造において、操作体（２）は、基体（１）との係合を解除するための引き手（２２）を備えたことを特徴とする係止具構造を解決手段とする。【選択図】図４
2005089926.tif 000002
【特許請求の範囲】
【請求項１】
基体と、該基体に対して起倒可能な状態で取付けられる操作体とを備え、基体と操作体は取付生地を挟みこんで相互に係脱可能となる雌雄の係合手段を備え、前記基体の一端には帯を取付けるための帯取付部を備えた係止具構造において、
操作体（２）は、基体（１）との係合を解除するための引き手（２２）を備えたことを特徴とする係止具構造。
【請求項２】
係合突起案内穴及び該係合突起案内穴から連続する係合穴を備えた基体と、該基体に対して起倒可能な状態で取付けられ、且つ前記係合穴に係止可能な係合突起を備えた操作体とを備え、前記基体の端部には、帯を取付けるための帯取付部を設けた係止具構造において、
前記基体（１）は、該基体（１）の一端側に係合穴（１２）を囲む枠部（１０）を備え、基体（１）の他端側には帯取付部（１６）を備え、前記枠部（１０）及び帯取付部（１６）との間には操作体貫通穴（１１）とを備えたものとし、
操作体（２）は、前記基体（１）の操作体貫通穴（１１）を貫通して基体（１）から脱抜しない状態で取付けられ、前記操作体（２）の一端には、前記基体（１）の係合穴（１２）と係合する係合突起（２０）を形成し、また操作体（２）の他端には引き手（２２）を形成し、引き手（２２）を引くことによって係合突起（２０）が係合穴（１２）から離脱することを特徴とする係止具構造。
【請求項３】
係合突起を備えた基体と、該基体に対して起倒可能な状態で取付けられ、且つ前記係合突起が係止するための係合突起案内穴及び該係合突起案内穴から連続する係合穴を有する操作体を備え、前記基体若しくは操作体の一端には、帯を取付けるための帯取付部を設けた係止具構造において、
前記基体（１）は、係合突起（２０）を備えるとともに、該係合突起（２０）の後端側に操作体貫通穴（１１）を備え、
操作体（２）は、その一端側に係合穴（１２）を囲む枠部（１０）を備えるとともに、操作体（２）の他端には引き手（２２）を形成したものとし、
前記操作体（２）は、前記基体（１）の操作体貫通穴（１１）を貫通して基体（１）から脱抜しない状態で取付けられ、
引き手（２２）を引くことによって係合突起（２０）が係合穴（１２）から離脱することを特徴とする係止具構造。
【請求項４】
係止穴（１２）の縁部となる係止穴縁部（１７）の下面側が係合突起案内穴１３に向かって傾斜部分が広がる係合頭案内用斜面（６０）を形成し、係合頭（２０ｂ）の上端部左右の角を落として案内用斜面（６１）を形成したことを特徴とする請求項２又は３記載の係止具構造。
【請求項５】
操作体２は、先端部２４の略中央位置となる底面に略Ｃ字状の切目２７を形成するとともに、係合突起２０の上端面に開口する溝２１を当該係合突起２０の下端位置まで形成したことを特徴とする請求項２、３又は４記載の係止具構造。
【発明の詳細な説明】
【技術分野】
【０００１】
本発明は、ストッキングや靴下等の下着のずり落ちを防止するガーター等に使用するための係止具の構造に関するものである。
【背景技術】
【０００２】
従来、ストッキングや靴下のずり落ちを防止するための手段として、当該ストッキングや靴下と、パンツとの間に、紐の両端に係止具を備えたガーターが種々開示されており、例えば、止めボタンと該止めボタンとの係合部を有する挟持具とのニ部分からなる靴下を止めるための止め具と、止め具に取付けられた担持テープと、止め具を両側で覆う二重になっている被覆テープとからなるガーター（例えば、特許文献１参照。）が公知である。また、乳幼児の上衣の乱れを防止する係止具を備えた上衣捲れ防止具として、二又に分岐されるバンドの夫々の端に上衣の下端部に係止される係止手段を有するとともに、分岐側には面状ファスナーを有する一対の伸縮性バンドであって、この一対の伸縮性バンドが前記面状ファスナーにより係脱可能に係着されていることを特徴とする上衣捲れ防止具における係止具（例えば、特許文献２参照。）が公知である。
【０００３】
【特許文献１】実公昭４４−４８９２号公報
【特許文献２】実開平０６−２２３２４号公報
【発明の開示】
【発明が解決しようとする課題】
【０００４】
上記特許文献１に開示される止具構造は、止めボタンをその上に置かれた取付生地とともに挟持具に差込むことによって、当該取付生地にガーターを取付ける一般的な構成のものであるが、当該係止具構造は止めボタンと挟持具とを取外す場合には、指で直接当該挟持具と雄ボタンを離脱させることとなるが、挟持具と止めボタンとの間には取付生地が位置し、該取付生地は挟持具の中に差込まれていることから、止めボタンと挟持具との離脱に容易ではなく、指や爪を傷める虞もあった。
【０００５】
また、特許文献２に係る止具の構造においても、プラスチック製の係止体とゴム製の舌片とからなるものであり、ゴム製の舌片に設けられた頭部が生地とともに前記係止体に嵌り込むものであるが、係止体からゴム製の舌片の頭部を取外す際には、前記特許文献１に開示される係止具と同様に、指や爪を傷める虞があった。
【０００６】
本発明は以上の事情に鑑みてなされたものであり、係止具を備えたガーターや上衣捲れ防止具等の物品の係脱を容易とし、指や爪を傷めることのない優れた係止具構造を提供することを、課題とするものである。
【課題を解決するための手段】
【０００７】
本発明は、基体と、該基体に対して起倒可能な状態で取付けられる操作体とを備え、基体と操作体は取付生地を挟みこんで相互に係脱可能となる雌雄の係合手段を備え、前記基体の一端には帯を取付けるための帯取付部を備えた係止具構造において、操作体は、基体との係合を解除するための引き手を備えたことを特徴とする係止具構造を基本とし、課題を解決するための手段とする。
【発明の効果】
【０００８】
本発明によれば、基体と、該基体に対して起倒可能な状態で取付けられる操作体とを備え、基体と操作体は取付生地を挟みこんで相互に係脱可能となる雌雄の係合手段を備え、前記基体の一端には帯を取付けるための帯取付部を備えた係止具構造において、操作体は、基体との係合を解除するための引き手を備えた係止具構造としたことから、生地を挟んで係止状態にある係止具を取外す操作が、前記操作体の引き手を引くだけでよく、簡単に基体から操作体を離脱させることができる。
【０００９】
また、上記構成により、生地を挟んで係止状態にある係止具を、操作体の引き手を引くだけで、その基体から操作体を離脱させるから、指や爪へ負担をかけることがなく、安全性の高い係止具を提供することができる。
【発明を実施するための最良の形態】
【００１０】
本発明は、係止具の操作体に引き手を形成することによって、操作性、安全性に非常に優れた係止具構造を実現した。
【実施例】
【００１１】
図１は本発明の実施例１に係る係止具における基体の（ａ）正面図、（ｂ）底面図、（ｃ）平面図、（ｄ）平面図におけるＡ−Ａ断面図、図２は同実施例１に係る係止具における操作体の（ａ）左側面図、（ｂ）正面図、（ｃ）平面図、（ｄ）底面図、（ｅ）平面図におけるＢ−Ｂ断面図、図３は同実施例１に係る係止具の取付生地を省略した取付操作説明図、図４は同実施例１に係る係止具の取付生地を省略した取外し操作説明斜視図、図５は本発明の実施例２に係る係止具の基体の（ａ）平面図、（ｂ）平面図におけるＣ−Ｃ断面図、及び（ｃ）操作体の左側面図、図６は本発明の実施例３に係る係止具の基体を示す平面図、図７は本発明の実施例４に係る係止具の（ａ）基体を示す断面図、（ｂ）操作体を示す正面図、（ｃ）操作体を示す平面図、図８は本発明の実施例１に係る係止具を、取付生地の一例であるストッキングの上端部に対して取付けた状態を示す参考説明図である。
【００１２】
（実施例１に係る係止具構造）
本発明の実施例１に係る係止具は、図１に示す基体１および図２に示す操作体２からなるものであり、基体１はナイロン若しくはポリアセタール等の素材、操作体２は可撓性のあるウレタンを素材として用いている。
【００１３】
当該実施例１に係る係止具における基体１は、図１に示すように、一端側に、係合穴１２と該係合穴１２に連続する係合突起案内穴１３を囲む枠部１０を形成するとともに、他端側には、外部の帯３を取付けるための帯取付部１６として帯通し穴１９を形成し、前記枠部１０と帯取付部１６との間となる位置に、操作体２を嵌入するための操作体貫通穴１１を形成した構成である。
【００１４】
ここで、係合突起案内穴１３と操作体貫通穴１１とは、基体１内において幅方向に形成される第一仕切杆１４によって隔てられており、操作体貫通穴１１と帯通し穴１９とは、基体１内において前記第一仕切杆１４に平行して設けられる第二仕切杆１５とによって隔てられている。
【００１５】
第一仕切杆１４の両端には案内部１８を形成し、操作体２の係止操作の際に当該操作体２を案内する構成としている。
【００１６】
更に、前記枠部１０の内側部分であって係合穴１２の縁部となる箇所を、薄手とした係合穴縁部１７として形成している。
【００１７】
次に、本実施例１に係る係止具における操作体２は、図２に示すように、ウレタンを一体成形して得られるものであり、幅広の先端部２４と、該先端部２４よりも幅の狭い可撓性の中央部２３と、該中央部２３の後端側から中央部２３と同程度の幅で、より厚手の引き手２２が順次一体として連結した構成のものである。
【００１８】
先端部２４は、その略中央位置となる底面に略Ｃ字状の切目２７を形成することによって、切目２７の内側に舌片２５を、切目２７の外側に外周部２８を形成し、前記舌片２５上に係合突起２０を形成したものであり、係合突起２０は上部幅が下部及び中央部よりも大きい係合頭２０ｂを備えている。該係合頭２０ｂは、前端側には平面視やや尖った尖部２０ｃを有している。また、係合頭の上端面に開口する溝が係合突起２０の下端位置まで形成され、結果として係合突起２０は二つの対称な係合突起片２０ａ、２０ａとして形成されている。
【００１９】
また引き手２２は、その最後端部の形状を引き手２２の他の部位よりも厚みのある指掛部２６として形成するとともに、図２の正面図及びＢ−Ｂ断面図に示すように、引き手２２全体を上方へ膨らむ曲線状に形成している。
【００２０】
そして、図３及び図４に示すように、前記基体１における第一仕切杆１４と第二仕切杆１５との間、即ち、操作体貫通穴１１に対して、操作体２が嵌り込む構成としている。
【００２１】
係止前状態においては、図３（ａ）に示すように、操作体２の係止突起２０と、基体１との間に取付生地４を挟みこむだけの空間が形成されている。尚、図３及び図４においては、取付生地４を省略している。
【００２２】
そして、操作体２の引き手２２を基体１に密着させる側へ移動させるか、操作体２の先端部２４の係合突起２０を基体１に密着させる側に直接動かすことで、基体１の係合突起案内穴１３内に操作体２の係合突起２０が入り込むとともに、取付生地４が係合突起２０と基体１との間に噛みこむように挟まれる。
【００２３】
更に基体１に対して操作体２を基体１の係合穴１２側へスライドさせることにより、取付生地４が係合突起２０を覆った状態が維持されたまま係合穴１２に係合突起２０が嵌り込み、図８に示すように、ストッキングの上端部等の取付生地４に対して係止具が取付けられることとなる。
【００２４】
取付時において基体１に対する操作体２のスライド操作は引き手２２を持って操作することも可能ではあるが、従来通り、操作体２の先端部２４を表裏面から把持してスライドさせることができる。尚、当該スライド時には、第一仕切杆１４の左右の基端部に形成した案内部１８が、操作体２を係合穴１２へ嵌り込みやすいように案内する。
【００２５】
そして、従来より困難であった、基体１から操作体２を取外す際に、本発明の構成が極めて有効に作用する。即ち、操作体２の引き手２２を引くのみの操作で、基体１の係合穴１２から操作体２の係合突起２０が外れ、基体１と操作体２とによって挟まれた取付生地４が当該係止具から即座に外れることとなる。
【００２６】
ここで、前記したように、引き手２２は、最後端部の形状を引き手２２の他の部位よりも厚みのある指掛部２６を形成するとともに、引き手２２全体を上方へ膨らむ曲線状に形成した構成としたこと、及び中央部は可撓性を備えていることとの相乗効果によって、当該指掛部２６に指を当てると、中央部が撓んで、基体１と引き手２とのなす角度が大きくなって帯３から離れるように引き手２２が動くとともに、指に対して引き手２２がフィットすることとなり、極めて引き手２２が摘みやすい状態とすることができるのである。更に、前記引き手２２は、操作体貫通穴１１から操作体２が脱落することを防止する機能を有する。
【００２７】
また、本実施例１においては、係合突起２０には前記した尖部２０ｃが形成されていることから、スライド操作時に取付生地４が係合突起２０の進行によってスライドを妨げるように皺を形成するところ、当該尖部２０ｃによって、当該皺が係合突起２０のスライドを妨げないように、取付生地４の皺を係合突起２０の進行方向から逃す効果を得ることができる。
【００２８】
更に本発明の実施例１においては、係合穴縁部１７を薄手として形成していることから、係合突起２０の高さを低くすることができ、係合頭２０ｂが当該係止具から大きく突出しない構成としている。
【００２９】
また、係合突起２０を切目２７によって形成した弾性を有する舌片２５上に形成したことによって、取付生地を挟み込んだ状態で、舌片２５が外周部２８から独立して撓むことによって、係合突起２０が係合穴へ進入し易くする効果を得ることができる。
【００３０】
更に、上記実施例１においては、係合穴１２と係合突起２０とが係止操作において摺動する嵌め合い寸法とするとともに、係合突起２０の上端面に開口する溝２１を当該係合突起２０の下端位置まで形成したことから、溝２１によって分断された二つの係合突起片２０ａ、２０ａ相互が、係合穴１２からの押圧力によって、溝２１を埋めるように弾性変形して密着し係合穴１２に嵌りこみ、その反発力によって、係合突起片２０ａ、２０ａが係合穴縁部１７を押すことで、強固な係止状態を保つことができるとともに、前記弾性変形と、切目２７の形成によって得られる舌片２５の弾性の相乗効果により、取付生地がより挟みやすくなる効果を得ることができる。
【００３１】
次に、穴本発明の実施例２乃至実施例４に係る係止具構造について、以下に順次説明する。以下の実施例２乃至実施例４に係る係止具構造は、いずれも基本構成として実施例１に係る係止具構造と同様のものであり、共通する部分に関する説明は省略するとともに共通する部分については実施例１と同一符号を用いて説明する。
【００３２】
（実施例２に係る係止具構造）
本実施例２に係る係止具構造においては、図５に基体１と操作体２を夫々別個に示すように、基体１における係止穴縁部１７の下面側が係合突起案内穴１３に向かって傾斜部分が広がる係合頭案内用斜面を形成し、操作体における係合頭の上端部左右の角を落として案内用斜面を形成したものである。
【００３３】
前記実施例１に係る係止具構造においては、取付生地４に対して係止具を取付ける際に、係合突起２０を係合突起案内穴１３へ差込むには略垂直に係合突起２０を挿入する必要があったが、本実施例２に係る係止具構造によれば、係合突起２０を基体１の下面に形成された係合頭案内用斜面６０に取付生地４を介して係合頭２０ｂを摺動させ、係合突起案内穴１３へ係合頭２０ｂを案内するため、取付生地４が介在する状態において、係合頭２０ｂを係合突起案内穴１３へ挿入することを非常に容易とする効果を、更に付加することができるのである。
【００３４】
（実施例３に係る係止具構造）
次に、本発明の実施例３に係る係止具構造は、図６にその基体１を示すように、当該基体１における帯取付部１６の位置が、実施例１に係る係止具構造とは反対側に位置する構成のものである。係止具の取外し時に引き手を引く方向は、係止具の取付態様によって相違するため、実施例１に係る係止具構造と比較した場合に、帯３の取付方向に対して反対側に引き手を引く場合に有効な構成である。また、本実施例３においては、帯３と引き手２２とが干渉しないため、より引き手２２を摘む操作が容易となる効果を有する。尚、操作体２は実施例１と同様のものを使用することができる。
【００３５】
（実施例４に係る係止具構造）
また、本実施例４に係る係止具構造は、図７に基体および操作体の正面図を示すように、係合突起を備えた基体１と、該基体１に対して起倒可能な状態で取付けられ、且つ前記係合突起が係止するための係合突起案内穴１３及び該係合突起案内穴１３から連続する係合穴１２を有する操作体２を備え、前記基体１若しくは操作体２の一端には、帯３を取付けるための帯取付部１６を設けた係止具構造において、前記基体１は、該基体１の中央部に係合突起２０を形成し、係合突起２０の後端側に操作体貫通穴１１を備え、操作体２は、その一端側に係合穴１２を囲む枠部１０を備えるとともに、操作体２の他端には引き手２２を形成したものとし、前記操作体２は、前記基体１の操作体貫通穴１１を貫通して基体１から脱抜しない状態で取付けられ、引き手２２を引くことによって係合突起２０が係合穴１２から離脱することを特徴とする係止具構造である。即ち、実施例１との関係からすると、基体１と操作体２に設けられる雌雄係合子を逆とし、基体１には係合突起２０を設け、操作体２には係合穴１２を設けたものである。
【００３６】
本実施例４に係る係止具構造においては、操作体２の先端部側に係合突起案内穴１３を形成し、該係合突起案内穴１３に連続して中央部寄りの位置に係合穴１２が形成されており、基体１には前記係合穴１２に対応した係合突起２０が形成されている。当該構成によって、実施例１に係る係止具と同様に、引き手２２を引くことによって、容易に、基体１と操作体２とを離脱するとともに、取付生地４から当該係止具を取外すことができる。
【００３７】
本発明に係る係止具は、ガーターに使用する係止具に限定されるものではなく、取付生地４に対して帯３を着脱する際に使用する係止具であればよく、例えば、ブラジャーの肩紐に使用する係止具、エプロンの紐とエプロン生地を取付ける係止具、帽子の脱落防止具、各種のストラップ等に取付けられる係止具など、種々の衣類や日用雑貨類において用いられる係止具に使用することができ、使用態様については、使用する帯の一端のみならず両端に取付けて使用することもできるし、ループとした帯に取付けることもできる。また、実施例では取付生地は極めて薄いものを使用しているが、係合頭と基体の寸法を変更することによって、厚手の生地を対象とした係止具とすることもできる。
【００３８】
また、本発明において帯３とは、平細の帯状のもののみならず、紐、鎖、ワイヤー、長尺状のゴム片等を含む趣旨であり、更にこれらをループ等とするものも含む。また、本発明に係る係止具は、用途によって、前記帯の一端のみならず両端に取付けることができる。
【００３９】
また上記実施例においては、帯取付部１６は、帯通し穴１９を形成したが、例えば、帯通し穴１９に代えて、環状やＳ字状等に形成することもできる。
【図面の簡単な説明】
【００４０】
【図１】本発明の実施例１に係る係止具における基体の（ａ）正面図、（ｂ）底面図、（ｃ）平面図、（ｄ）平面図におけるＡ−Ａ断面図である。
【図２】本発明の実施例１に係る係止具における操作体の（ａ）左側面図、（ｂ）正面図、（ｃ）平面図、（ｄ）底面図、（ｅ）平面図におけるＢ−Ｂ断面図である。
【図３】本発明の実施例１に係る係止具の取付生地を省略した取付操作説明図である。
【図４】本発明の実施例１に係る係止具の取付生地を省略した取外し操作説明斜視図である。
【図５】本発明の実施例２に係る係止具の基体の（ａ）平面図、（ｂ）平面図におけるＣ−Ｃ断面図、及び（ｃ）操作体の左側面図である。
【図６】本発明の実施例３に係る係止具の基体を示す平面図である。
【図７】本発明の実施例４に係る係止具の（ａ）基体を示す断面図、（ｂ）操作体を示す正面図、（ｃ）操作体を示す平面図である。
【図８】本発明の実施例１に係る係止具を、取付生地の一例であるストッキングの上端部に対して取付けた状態を示す参考説明図である。
【符号の説明】
【００４１】
１      基体
１０    枠部
１１    操作体貫通穴
１２    係合穴
１３    係合突起案内穴
１４    第一仕切杆
１５    第二仕切杆
１６    帯取付部
１７    係合穴縁部
１８    案内部
１９    帯通し穴
２      操作体
２０    係合突起
２０ａ  係合突起片
２０ｂ  係合頭
２０ｃ  尖部
２１    溝
２２    引き手
２３    中央部
２４    先端部
２５    舌片
２６    指掛部
２７    切目
２８    外周部
３      帯
４      取付生地
【図１】
2005089926.tif 000003
【図２】
2005089926.tif 000004
【図３】
2005089926.tif 000005
【図４】
2005089926.tif 000006
【図５】
2005089926.tif 000007
【図６】
2005089926.tif 000008
【図７】
2005089926.tif 000009
【図８】
2005089926.tif 000010